(57)【要約】  ｘｙ色平面において照明システム色域２０２内で光を放射可能な照明システム１００から光出力を提供する方法であって、ターゲット色点２１０、２１９とターゲットフラックスとを含む光出力ターゲットを受け取るステップ３０２と、ターゲット色点を、照明システム色域２０２と比較するステップ３０４と、ターゲット色点が照明システム色域外にある場合に、照明システム色域内の第１の近似色点２１２、２２０を、ターゲット色点と第１の近似色点との間のｘｙ色平面における距離の最小化に基づいて決定するステップ３１０と、第１の近似色点において、照明システムによって達成可能である可能な限り高いフラックスを決定するステップ３１２と、第１の近似色点において、照明システムによって達成可能である可能な限り高いフラックスが、ターゲットフラックスに等しい又はターゲットフラックスよりも大きい場合、第１の近似色点及びターゲットフラックスによって規定される光を提供するように、照明システムを制御するステップ３０９と、第１の近似色点において、照明システムによって達成可能である可能な限り高いフラックスが、ターゲットフラックスよりも低い場合、照明システムがターゲットフラックスを提供可能である第２の近似色点２１４、２２２を、第１の近似色点と第２の近似色点との間のｘｙ色平面における距離の最小化に基づいて決定するステップ３１４と、第２の近似色点及びターゲットフラックスによって規定される光を提供するように、照明システムを制御するステップ３１５と、を含む、方法。
2015521358.tif 000002
【特許請求の範囲】
【請求項１】
ｘｙ色平面において照明システム色域内で光を放射可能な照明システムから光出力を提供する方法であって、
ターゲット色点とターゲットフラックスとを含む光出力ターゲットを受け取るステップと、
前記ターゲット色点を、前記照明システム色域と比較するステップと、
前記ターゲット色点が前記照明システム色域外にある場合に、前記照明システム色域内の第１の近似色点を、前記ターゲット色点と前記第１の近似色点との間の前記ｘｙ色平面における距離の最小化に基づいて決定するステップと、
前記第１の近似色点において、前記照明システムによって達成可能である可能な限り高いフラックスを決定するステップと、
前記第１の近似色点において、前記照明システムによって達成可能である前記可能な限り高いフラックスが、前記ターゲットフラックスに等しい又は前記ターゲットフラックスよりも大きい場合、前記第１の近似色点及び前記ターゲットフラックスによって規定される光を提供するように、前記照明システムを制御するステップと、
前記第１の近似色点において、前記照明システムによって達成可能である前記可能な限り高いフラックスが、前記ターゲットフラックスよりも低い場合、前記照明システムが前記ターゲットフラックスを提供可能である第２の近似色点を、前記第１の近似色点と前記第２の近似色点との間の前記ｘｙ色平面における距離の最小化に基づいて決定するステップと、
前記第２の近似色点及び前記ターゲットフラックスによって規定される光を提供するように、前記照明システムを制御するステップと、
を含む、方法。
【請求項２】
前記第１の近似色点を決定するステップは、前記第１の近似色点を、前記照明システム色域内の最も近い色点として決定するステップを含む、請求項１に記載の方法。
【請求項３】
前記第１の近似色点において、前記照明システムによって達成可能である可能な限り高いフラックスを決定するステップは、前記第１の近似色点における前記照明システムに含まれる光源の最大デューティサイクルを決定するステップを含む、請求項１又は２に記載の方法。
【請求項４】
前記第２の近似色点は、前記第１の近似色点において、前記照明システムによって達成可能である前記可能な限り高いフラックスが、所定の閾値分、前記ターゲットフラックスよりも低い場合に決定される、請求項１乃至３の何れか一項に記載の方法。
【請求項５】
前記照明システム色域は、３つの光源によって規定されるｘｙ色平面内の三角域である、請求項１乃至４の何れか一項に記載の方法。
【請求項６】
前記第２の近似色点を決定するステップは、前記第１の近似色点から、前記第１の近似色点から最大距離にある前記照明システム色域の隅までの前記ｘｙ色平面における直線上の、前記ターゲットフラックスに等しいフラックスを有する最も近い点を決定するステップを含む、請求項５に記載の方法。
【請求項７】
前記第２の近似色点を決定するステップは、前記第１の近似色点から、２つの最も離れた光源のそれぞれのデューティサイクルが１と等しくなる点までの前記ｘｙ色平面における直線上の、前記ターゲットフラックスに等しいフラックスを有する最も近い点を決定するステップを含む、請求項５に記載の方法。
【請求項８】
前記光出力ターゲットは、黒体線上にある、請求項１乃至７の何れか一項に記載の方法。
【請求項９】
前記光出力ターゲットは、２０００Ｋ乃至３８００Ｋの色温度を有する、請求項１乃至８の何れか一項に記載の方法。
【請求項１０】
ｘｙ色平面における照明システム色域を規定する少なくとも３つの光源と、
照明システムからの光出力を制御する照明システムコントローラと、
を含み、
前記照明システムコントローラは、
ターゲット色点とターゲットフラックスとを含む光出力ターゲットを受け取り、
前記ターゲット色点を、前記照明システム色域と比較し、
前記ターゲット色点が前記照明システム色域外にある場合に、前記照明システム色域内の第１の近似色点を、前記ターゲット色点と第１の近似色点との間の前記ｘｙ色平面における距離の最小化に基づいて決定し、
前記第１の近似色点において、前記照明システムによって達成可能である可能な限り高いフラックスを決定し、
前記第１の近似色点において、前記照明システムによって達成可能である前記可能な限り高いフラックスが、前記ターゲットフラックスに等しい又は前記ターゲットフラックスよりも大きい場合、前記第１の近似色点及び前記ターゲットフラックスによって規定される光を提供するように、前記照明システムを制御し、
前記第１の近似色点において、前記照明システムによって達成可能である前記可能な限り高いフラックスが、前記ターゲットフラックスよりも低い場合、前記照明システムが前記ターゲットフラックスを提供可能である第２の近似色点を、前記第１の近似色点と第２の近似色点との間の前記ｘｙ色平面における距離の最小化に基づいて決定し、
前記第２の近似色点及び前記ターゲットフラックスによって規定される光を提供するように、前記照明システムを制御する、照明システム。
【請求項１１】
前記少なくとも３つの光源は、それぞれ、複数の発光デバイスを含む、請求項１０に記載の照明システム。
【請求項１２】
前記少なくとも３つの光源は、それぞれ、前記ｘｙ色平面における黒体線から所定の距離内の光を放射する、請求項１０又は１１に記載の照明システム。
【請求項１３】
前記所定の距離は、３ＳＤＣＭ（色整合の標準偏差）未満である、請求項１２に記載の照明システム。
【請求項１４】
前記少なくとも３つの光源は、異なる色温度を有する基本的に白色の光を放射する、請求項１０乃至１３の何れか一項に記載の照明システム。
【請求項１５】
前記少なくとも３つの光源は、それぞれ、２０００Ｋ、２７００Ｋ及び４４００Ｋにほぼ等しい色温度を有する光を放射する、請求項１４に記載の照明システム。
【発明の詳細な説明】
【技術分野】
【０００１】
本発明は、可変色彩照明システム、並びに、そのような可変色彩照明システムの色出力を制御する方法及びコントローラに関する。具体的に、本発明は、可変色彩照明システムにおいて色点を決定する方法に関する。
【背景技術】
【０００２】
照明における現在の流行として、光は、単なる照明だけでなく雰囲気を作り出すためにより多く使用されている。「雰囲気提供者」として適している照明システムは、様々な色の光を放射可能で、強度が可変（即ち、調光可能）である必要がある。理想的には、このような照明システムは、人間の目によって知覚可能な色三角全体に亘って（例えばＣＩＥ−ＸＹＺ表色系のｘｙ面において）可変であるべきである。しかし、実際には、色彩可変照明システムは、色三角の一部にしか広がれない。特定の色彩可変照明システムについて、色三角のこの一部は、当該照明システムの色域と呼ばれる。更に、様々な照明システムは、一般に、様々な色域を有する。
【０００３】
米国特許第５３８４５１９号は、所望の色の光を放射するために、少なくとも３つの調光可能な単色光源からの光が混合される、上記のような可変色彩照明システムの一例を開示する。様々なＬＥＤが（ＲＧＢの場合のように）色空間において遠く離れている場合、色を範囲の中心にすること（白）は、比較的単純であり、可能な範囲及びフラックスは、原色の正確な位置からは比較的独立している。しかし、このようなシステムの不利点は、色温度に関連する色点の感度と、かなり限定された演色評価数（ＣＲＩ）である。
【０００４】
任意の可変色彩照明システムの色域は、色三角の一部にしか広がらないので、ユーザが、照明システムの色域外の色の光を要求する可能性は常にある。色彩システムにおける光源は、製造工程における制御不可能な変動によって、１つのシステムと次のシステムとでは少し異なるため、２つの見掛け上は同様の照明システムは、少し異なる色域を提供する場合がある。照明システムによってどの色が提供可能であるかの不確かさは、例えばモジュールの許容色域を、必ず保証可能な最小色域に限定することによって、排除することができる。しかし、このような限定は、多くの場合、行き過ぎている。
【０００５】
更に、要求された色が許容色域外にある場合に、色点を許容色域内に近似させる既知の解決策がある。しかし、単に新しい色点を許容色域内（例えば色域内の最も近い点）に近似させることは、色温度及びＣＲＩに関して、要求された色とは著しく異なるように知覚される色を提供する場合がある。
【発明の概要】
【発明が解決しようとする課題】
【０００６】
本発明は、改良された照明システムと、当該照明システムを制御する方法とを提供することを目的とする。
【課題を解決するための手段】
【０００７】
本発明の第１の態様によれば、上記の目的及び他の目的は、ｘｙ色平面において照明システム色域内で光を放射可能な照明システムから光出力を提供する方法であって、ターゲット色点とターゲットフラックスとを含む光出力ターゲットを受け取るステップと、ターゲット色点を、照明システム色域と比較するステップと、ターゲット色点が照明システム色域外にある場合に、照明システム色域内の第１の近似色点を、ターゲット色点と第１の近似色点との間のｘｙ色平面における距離の最小化に基づいて決定するステップと、第１の近似色点において、照明システムによって達成可能である可能な限り高いフラックスを決定するステップと、第１の近似色点において、照明システムによって達成可能である可能な限り高いフラックスが、ターゲットフラックスに等しい又はターゲットフラックスよりも大きい場合、第１の近似色点及びターゲットフラックスによって規定される光を提供するように、照明システムを制御するステップと、第１の近似色点において、照明システムによって達成可能である可能な限り高いフラックスが、ターゲットフラックスよりも低い場合、照明システムがターゲットフラックスを提供可能である第２の近似色点を、第１の近似色点と第２の近似色点との間のｘｙ色平面における距離の最小化に基づいて決定するステップと、第２の近似色点及びターゲットフラックスによって規定される光を提供するように、照明システムを制御するステップとを含む、方法によって達成される。
【０００８】
照明システムのフラックスとは、照明システムに含まれる光源の組み合わせによって提供される放射フラックスを指す。システムのフラックス出力及び色出力は、システムに含まれる各光源のデューティサイクルを制御することによって制御される。
【０００９】
本コンテキストでは、ｘｙ色平面とは、ｘ座標及びｙ座標によって色が記述される表色系における色平面と理解されるべきである。このような表色系の例としては、次に限定されないが、ＣＩＥＸＹＺ、ＣＩＥＬＵＶ、ＣＩＥＬＡＢ、ＣＩＥＵＶＷ、ＲＧＢ及びＣＭＹＫが挙げられる。
【００１０】
本発明は、照明システムが、様々な理由から、可能な色域外の光出力のリクエストを受け取る場合、単に色域内の最も近い色点を提供することは、ユーザによって知覚される要求された光出力に最も似た光出力を提供しない場合があり、また、要求された光出力のフラックスを考慮に入れることによって、より優れた近似が達成可能であるという理解に基づいている。したがって、要求された色域外の色点を申し分のないやり方で取り扱うことのできる改良型照明システムが必要である。
【００１１】
したがって、ｘｙ色平面における受け取ったターゲット色点を、要求されたターゲットフラックスが達成可能である、要求された色に最も似た可能な色域内の色点に動かすことによって、要求された光出力により似た光出力を達成することができる。これにより、演色評価数及び色温度に関して、色域外にある要求された色点の向上された近似を、照明システムによって放射することができる。
【００１２】
本発明に係る方法の様々な実施形態を介して、照明システムの色域外にある要求された色点は、ほとんどの場合に、ユーザが色域外の色を要求したことを気が付くことがないように、近似される。このような結果は、照明デバイスによって到達不可能な出力に対応する色リクエストが受け取られた場合に、照明システムに含まれる１つ以上の光源を、単に受動的に飽和させることによってでは得られにくい。
【００１３】
本発明は、調節可能な照明システム全般に関わり、特に、家庭や、オフィス照明及び小売店といった専門用途の両方における使用のための調節可能な白色照明システムに関する。
【００１４】
本発明の一実施形態によれば、第１の近似色点を決定するステップは、当該第１の近似色点を、色域内の最も近い色点として決定するステップを含む。色域外の要求された色点を近似させる簡単な方法は、色域内の最も近い色点を選択することである。
【００１５】
本発明の一実施形態では、第１の近似色点において、照明システムによって達成可能である可能な限り高いフラックスを決定するステップは、第１の近似色点における照明システムに含まれる光源の最大デューティサイクルを決定するステップを含む。色域内の色点が見つかると、当該第１の近似色点において、ターゲットフラックスが達成可能であるかどうかが決定される。所与の色点において達成可能な最大フラックスは、ｘｙ色平面において同じ色点が維持されるように、照明システムに含まれる光源の最大デューティサイクルを計算することによって決定される。第１の近似色点において、ターゲットフラックスが到達可能であるならば、当該色点は、照明システムの光出力を提供するために使用される。
【００１６】
本発明の一実施形態によれば、第２の近似色点は、第１の近似色点において、照明システムによって達成可能である可能な限り高いフラックスが、所定の閾値分、ターゲットフラックスよりも低い場合に決定される。通常、第１の近似色点においてターゲットフラックスが達成できない場合、十分なフラックスを提供可能な第２の近似色点が決定される。しかし、場合によっては、ターゲットフラックスが達成できない場合であっても、達成可能な最大フラックスがターゲットフラックスに近ければ、第１の近似点を光出力点として使用することが望ましいことがある。例えば達成可能なフラックスが、ターゲットフラックスの所定の閾値内（例えば少なくとも９５％）である場合、第１の近似点は、光出力点として使用される。
【００１７】
本発明の一実施形態では、照明システム色域は、３つの光源によって規定されるｘｙ色平面内の三角域である。３つの任意の、異なる光源が、達成可能な色域を規定するために照明システム内で使用される。
【００１８】
本発明の一実施形態では、第２の近似色点を決定するステップは、第１の近似色点から、第１の近似色点から最大距離にある照明システム色域の隅までのｘｙ色平面における直線上の、ターゲットフラックスに等しいフラックスを有する最も近い点を決定するステップを含む。第１の近似点においてフラックスターゲットに見合うことができない１つの理由としては、３つの光源のうちの１つの光源の利用が、他の２つの光源の利用よりも著しく低いという点がある。このような場合、十分なフラックスを有する色点は、最も低い利用を有する光源（ｘｙ色平面において第１の近似点から最大距離にある光源）に向けてｘｙ色平面内で移動させることによって達成される。したがって、第２の近似点は、ターゲットフラックス点に等しいフラックスが達成可能である最も利用されていない光源に向かう線上の点として決定される。
【００１９】
本発明の一実施形態では、第２の近似色点を決定するステップは、第１の近似色点から、２つの最も離れた光源のそれぞれのデューティサイクルが１と等しくなる点までのｘｙ色平面における直線上の、ターゲットフラックスに等しいフラックスを有する最も近い点を決定するステップを含む。第１の近似点においてフラックスターゲットに見合うことができないもう１つの理由としては、３つの光源のうちの２つの光源の利用が、残りの１つの光源の利用よりも著しく低い点がある。このような場合、十分なフラックスを有する色点は、第１の近似点に最も近い第３の光源のデューティサイクルは０であることを前提として、２つの最も離れた光源が１に等しいデューティサイクルを有する点に向けてｘｙ色平面内を移動させることによって達成される。２つの光源が最大デューティサイクルを有する点は、色域の境界を規定する２つの光源間の線上に見つけられる。したがって、第２の近似点は、ターゲットフラックス点に等しいフラックスが達成可能である２つの最も離れた光源の組み合わせの最大フラックス点に向かう線上の点として決定される。
【００２０】
一実施形態によれば、出力ターゲットは、黒体線上にある。家庭用の使用とオフィス照明システムの両者における多くの照明応用では、所定の色温度を有する黒体線上の白色光を提供することが望ましい。
【００２１】
本発明の一実施形態では、光出力ターゲットは、２０００Ｋ乃至３８００Ｋの色温度を有する。
【００２２】
本発明の第２の態様によれば、ｘｙ色平面における照明システム色域を規定する少なくとも３つの光源と、照明システムからの光出力を制御する照明システムコントローラと、を含み、照明システムコントローラは、ターゲット色点とターゲットフラックスとを含む光出力ターゲットを受け取り、ターゲット色点を、照明システム色域と比較し、ターゲット色点が照明システム色域外にある場合に、照明システム色域内の第１の近似色点を、ターゲット色点と第１の近似色点との間のｘｙ色平面における距離の最小化に基づいて決定し、第１の近似色点において、照明システムによって達成可能である可能な限り高いフラックスを決定し、第１の近似色点において、照明システムによって達成可能である可能な限り高いフラックスが、ターゲットフラックスに等しい又はターゲットフラックスよりも大きい場合、第１の近似色点及びターゲットフラックスによって規定される光を提供するように、照明システムを制御し、第１の近似色点において、照明システムによって達成可能である可能な限り高いフラックスが、ターゲットフラックスよりも低い場合、照明システムがターゲットフラックスを提供可能である第２の近似色点を、第１の近似色点と第２の近似色点との間のｘｙ色平面における距離の最小化に基づいて決定し、第２の近似色点及びターゲットフラックスによって規定される光を提供するように、照明システムを制御する、照明システムが提供される。
【００２３】
照明システムコントローラは、マイクロプロセッサ、マイクロコントローラ、プログラマブルデジタルシグナルプロセッサ又は別のプログラマブルデバイスを含んでもよい。照明システムコントローラは更に、又は、代わりに、特定用途向け集積回路、プログラマブルゲートアレイ若しくはプログラマブルアレイロジック、プログラマブルロジックデバイス又はデジタルシグナルプロセッサを含んでもよい。照明システムコントローラが、上記のマイクロプロセッサ、マイクロコントローラ又はプログラマブルデジタルシグナルプロセッサといったプログラマブルデバイスを含む場合、プロセッサは更に、プログラマブルデバイスの動作を制御するコンピュータ実行可能コードを含んでもよい。
【００２４】
本発明の一実施形態では、照明システムにおける光源は、それぞれ、複数の発光デバイスを含む。
【００２５】
更に、照明システムは、光源が、それぞれ、ｘｙ色平面における黒体線から所定の距離内の光を放射するように構成される。所与の色温度及び高演色評価数の白色光が望ましい応用では、可能な限り黒体線に近い光を放射する光源を選択することが有利である。
【００２６】
本発明の一実施形態によれば、上記の黒体線からの所定の距離は、有利には、３ＳＤＣＭ（色整合の標準偏差）未満である。ｘｙ色平面における３ＳＤＣＭの色差は、観察者によってほとんど知覚されない。したがって、観察者が白色光における演色又は色相の差を見つけないためには、黒体線から３ＳＤＣＭ未満を差分とする白色光を提供することが望ましい。
【００２７】
本発明の一実施形態では、光源は、有利には、異なる色温度を有する基本的に白色の光を放射する。
【００２８】
更に、光源は、それぞれ、２０００Ｋ、２７００Ｋ及び４４００Ｋにほぼ等しい色温度を有する光を放射する。
【００２９】
本発明の第２の態様の更なる効果及び特徴は、本発明の第１の態様に関連して上で説明したものと大きく類似する。
【００３０】
本発明の更なる特徴及び利点は、添付の請求項及び以下の説明を検討することにより明らかとなろう。当業者は、本発明の範囲から逸脱することなく、本発明の様々な特徴が組み合わされて、以下に説明される実施形態以外の実施形態を作り出すことも可能であることを認識できよう。
【図面の簡単な説明】
【００３１】
本発明のこれらの及び他の態様は、本発明の実施形態を示す添付図面を参照してより詳細に説明される。
【００３２】
【図１】図１は、本発明に係る照明システムの一実施形態を示すブロック図を概略的に示す。
【図２ａ】図２ａは、ｘｙ色平面における本発明の実施形態に係る一般的な方法を概略的に示すグラフである。
【図２ｂ】図２ｂは、ｘｙ色平面における本発明の実施形態に係る一般的な方法を概略的に示すグラフである。
【図３】図３は、本発明の一実施形態に係る方法の一般的なステップを概略的に説明するフローチャートである。
【発明を実施するための形態】
【００３３】
以下の詳細な説明において、本発明に係る照明システムの様々な実施形態は、主に、白色光を提供する照明システムを参照して述べられている。なお、この点は、本発明の範囲を限定するものではなく、可変色彩照明システムに同等に適用可能である。
【００３４】
図１には、本発明に係る照明システム１００の一実施形態のブロック図が概略的に示されている。
【００３５】
図１を参照するに、３つの光源１０２ａ〜ｃと、光源インタフェース１０３と、マイクロプロセッサ１０４、ＲＡＭ又は不揮発性メモリといったメモリ１０５及び外部インタフェース１０６を含む照明システムコントローラ１０８とを含む調節可能な照明システム１００が示される。例示的照明システム１００は、外部電源接続１０７を介して給電される。当然ながら、電池といった内部電源が使用されてもよい。光源インタフェース１０３及び外部インタフェース１０６は、ワイヤレスインタフェースであってもよい。
【００３６】
マイクロプロセッサ１０４は、外部インタフェース１０６を介して光出力リクエストを受信し、処理の後、当該リクエストを、光源インタフェース１０３を介して光源１０２ａ〜ｃに転送する。
【００３７】
光源１０２ａ〜ｃの強度は制御可能（調光可能）であり、０％乃至１００％の相対強度、又は、デューティサイクルで、それらの対応する色を出力するように制御される。
【００３８】
図２ａ及び図２ｂには、本発明の実施形態に係る方法が、グラフ２００及び２３０に概略的に説明される。当該グラフ２００及び２３０は、２つの異なる色ターゲット２１０及び２１９に対して、３つの光源１０２ａ、１０２ｂ及び１０２ｃに対応する３つの色点２０４、２０６及び２０８によって規定される色ｘｙ平面における許容色域２０２を示す。本実施例では、３つの光源は、異なる色温度を有する基本的に白色の光を放射するものとして見なされ、光源２０４は、約２０００Ｋの色温度を有し、光源２０６は、約２７００Ｋの色温度を有し、光源２０８は、約４４００Ｋの色温度を有する。グラフ２００には、黒体線２０３が参照のために含まれている。例えば３つの光源は、自然白色光（２０８）、暖白色光（２０６）及び蛍光体変換された琥珀色光（２０４）を提供する発光デバイスを構成する。選択された蛍光体変換された琥珀色（ＰＣ−琥珀色）光を放射するデバイス２０４は、通常、ＣＩＥ１９３１ｘｙ色度図で規定した場合に、ｘ座標について、０．５５乃至０．５８５の色点範囲を有し、ｙ座標について、０．４１乃至０．４４の色点範囲を有する。
【００３９】
図３は、本発明の一実施形態に係る方法の一般的なステップの概略を示すフローチャート３００であって、図１に示される照明システム１００及び図２ａに示されるｘｙ色平面を参照して説明される。
【００４０】
まず、ステップ３０２において、光出力ターゲットが照明システムによって受け取られる。光出力ターゲットは、グラフ２００に点２０４として示されるターゲット色と、ターゲットフラックスとを含む。ステップ３０４において、ターゲット色点２１０が、色域２０２と比較される。色点２１０が色域２０２内である場合、ターゲット色点２１０に従った光出力が、照明システムによって提供される（ステップ３０８）。本実施例では、ステップ３０６において、ターゲット色点２１０は色域２０２の外であると結論付けられる。この場合、次のステップ３１０において、ここでは、第１の近似色点２１２と呼ぶ色域内の色点が決定される。第１の近似色点２１２は、色域２０２内のターゲット色点２１０に最も近い点として規定される。次に、ステップ３１２において、第１の近似色点２１２において、照明システムによって達成可能である可能な限り高いフラックスが、ターゲットフラックスに等しい又はそれよりも大きいかどうかに関して比較が行われる。第１の近似色点２１２において、ターゲットフラックスが達成可能である場合、照明システムによって、第１の近似色点２１２に従った光出力が提供される（ステップ３０９）。
【００４１】
ステップ３１２において、第１の近似色点２１２において、ターゲットフラックスが達成可能ではないと結論付けられる場合、ステップ３１４において、ここでは、第２の近似色点２１４と呼ぶターゲットフラックスが達成可能である色点が決定される。この第２の近似色点２１４が決定されると、ステップ３１５において、光出力が提供される。第２の近似色点２１４の決定は、第１の近似色点２１２とターゲットフラックスを達成可能な色点との間のｘｙ色平面における距離の最小化に基づいている。具体的には、図２ａ及び図２ｂに、第２の近似色点が、第１の近似色点がどこに位置付けられているかに依存して決定される方法の２つの例が示される。
【００４２】
図２ａでは、第１の近似色点２１２は、光源のうちの１つ（ここでは２０６）に、他の２つの光源２０４及び２０８よりも、著しく近い。このようなシナリオでは、第２の近似色点２１４は、第１の近似色点２１２から、２つの最も離れている光源のそれぞれのデューティサイクルが１に等しくなる点２１８へのｘｙ色平面における直線２１６上に見出される。点２１８は、２つの光源２０４及び２０８の組み合わせの最大フラックス点を表す。
【００４３】
図２ｂでは、色ターゲット点２１９について、第１の近似色点２２０は、光源のうちの２つ、即ち、２０４及び２０６に対しほぼ等距離にあり、これは、第３の光源２０８が十分に使用されていないことを意味する。このようなシナリオでは、第２の近似色点２２２は、第１の近似色点２２０から、当該第１の近似色点２２０から最大距離にある光源２０８へのｘｙ色平面における直線２２４上に見出される。
【００４４】
なお、図２ａ及び図２ｂにおけるグラフは、縮尺通りに描かれているわけではなく、本発明の実施形態に係る方法及びシステムの一般的な原理を説明しているに過ぎない。
【００４５】
色域における各色点は、様々な光源間のフラックスの関係によって決定されるので、色域における各色点の達成可能なフラックス範囲を決定することができる。更に、上記の例に基づいて、所与の色点と、色域内又は色域外の任意の他の点との間の距離が、基礎的な三角法又はベクトル解析を使用して決定されるので、ターゲットフラックスが達成可能である色域内の色点を計算することができる。
【００４６】
本発明の様々な実施形態に係る照明システムは更に、光源に含まれる発光デバイスのヒートシンク温度及び接合部温度に基づいて、各光源の実際のフラックスが連続的に計算されるフィードフォワード制御を含んでもよい。したがって、光源のデューティサイクルは、光出力色点を一定に保つために、連続的に更新される。
【００４７】
本発明は、その特定の例示的な実施形態を参照して説明されたが、当業者には、多くの様々な変更形態、修正形態等が明らかであろう。例えば様々な色を有する光源が使用されてもよく、本発明の実施形態に係る方法は、照明システムにおいて所望の色点と近似色点との間で知覚される差分を徐々に減少させるために使用されてもよい。
【００４８】
更に、当業者は、請求項に係る発明を実施する際に、図面、開示内容及び添付の請求項の検討から、開示された実施形態の変更態様を理解し、また、達成できよう。請求項において、「含む」との用語は、他の要素又はステップを排除するものではなく、また、「ａ」又は「ａｎ」との不定冠詞は、複数形を排除するものではない。特定の手段が、相互に異なる従属項に記載されるからといって、これらの手段の組み合わせを有利に使用することができないことを示すものではない。
【図１】
2015521358.tif 000003
【図２ａ】
2015521358.tif 000004
【図２ｂ】
2015521358.tif 000005
【図３】
2015521358.tif 000006
【国際調査報告】
2015521358.tif 000007
2015521358.tif 000008
2015521358.tif 000009